(57)【特許請求の範囲】
【請求項１】
躯体天井部から所定の間隔を存して垂下される複数の吊りボルトと、該吊りボルトの下端部に固定される野縁受けハンガーに支持される野縁受けと、該野縁受けに野縁取付金具を介して取り付けられる野縁と、該野縁にビス固定される天井パネルを含む天井下地において、
前記野縁受けハンガーは、吊りボルトの下端部に固定される吊りボルト固定部と、野縁受けを支持するＵ字状部を有する野縁受け支持部とを備え、それぞれに形成された連結片を介して、施工される前記天井パネルの水平または所定の勾配角度に応じて角度調整すべく回転可能に軸着すると共に、
該軸芯廻りの前記連結片同士が対面する内外円周上における外周面域を、軸芯から離間した位置に重合するビス孔を穿設するための面域幅を有するビス孔形成領域として設定せしめ、前記それぞれの連結片の軸芯廻りとなる内外円周上面域に複数のビス孔を所定のピッチ角をもって、何れか１のビス孔同士が任意の角度位置で複数個所が位置合わせ重合されるよう穿設し、
前記吊りボルト固定部と野縁受け支持部とを、所定角度で選択的に位置合わせ重合される何れか１のビス孔同士をビス固定することにより回転規制せしめて一体化し、
前記吊りボルト固定部を吊りボルトの下端部に固定させた状態で、野縁受けを、設定される水平または所定の傾斜角度に応じて、その下面部を前記Ｕ字状部の底面片に面接支持可能に構成されているとを特徴とする野縁受けハンガー。
【請求項２】
請求項１において、前記ビス孔形成領域に重合するビス孔を穿設するに、前記吊りボルト固定部と野縁受け支持部とが垂直状態となる位置に完全重合する基点となるビス孔を予め穿設すると共に、前記連結片の双方それぞれに、当該基点となるビス孔から任意角度をもって割り振りした複数のビス孔同士を、任意の角度位置でその中心が完全に一致した重合状態で選択的に位置合わせされる完全重合パターンと共に、その中心が位置ズレ重合した状態で位置合わせされる部分重合パターンが設定されるよう形成せしめ、当該完全重合位置をビス固定して角度位置決めした状態で、前記部分重合位置をビス固定することにより傾動負荷加重を分担支持すべく構成されていることを特徴とする野縁受けハンガー。
【請求項３】
請求項２において、前記連結片の双方に穿設せしめた複数のビス孔は、前記基点となるビス孔から４５度の角度範囲をもって前記軸芯廻りとなる円周上に割り振りされていることを特徴とする野縁受けハンガー。
【請求項４】
請求項２または３において、前記連結片に穿設せしめた複数のビス孔は、所定の角度範囲内において５度ピッチ毎に何れか１のビス孔が位置合わせされるよう配設されていることを特徴とする野縁受けハンガー。
【請求項５】
請求項１乃至４の何れかにおいて、前記野縁受け支持部は、そのＵ字状部の開口側に挿通されて、セットされた野縁受けを締め付け挟持し、かつ、拡開を規制する締結ボルトが設けられていることを特徴とする野縁受けハンガー。
【請求項６】
請求項１乃至５の何れかにおいて、前記野縁受け支持部は、そのＵ字状部の略中央に穿設されたビス孔を介して、セットされた野縁受けの側面部をビス固定することを特徴とする野縁受けハンガー。
【発明の詳細な説明】
【技術分野】
【０００１】
本発明は、天井パネルが水平または所定の勾配角度をもって施工される天井下地において、吊りボルトの下端部に固定され、天井パネルを固定する野縁が取付けられる野縁受けを、天井パネルの下地構造に応じて、水平または所定の傾斜角度をもって支持することのできる野縁受けハンガーに関する。
【背景技術】
【０００２】
一般に、在来天井は、所定の間隔を存して躯体天井部に垂下される複数の吊りボルトと、これら吊りボルト間の下端部に野縁受けハンガーや吊金具を介して支持されるチャンネル状の野縁受け（天井下地材）と、上方に開口する両側面部の上端内方に逆Ｕ字状溝を有し、野縁取付金具を介して野縁受けに取り付けされる複数のチャンネル状の野縁（天井下地材）と、野縁にビス止めされる天井パネルとから構成される。
また、天井パネルが所定の勾配角度をもって施工される際には、躯体天井部から垂下された吊りボルトは、その下端部が勾配角度に応じて傾斜状に配設され、野縁受けハンガーも傾斜状に配設された下端部に固定される。
【０００３】
ところで従来、野縁受けハンガーは、垂下する吊りボルトの下端部に、ナット止め調整により上下位置調整可能に連結される側面視Ｌ字状の吊りボルト固定部と、野縁受けを支持するＵ字状の野縁受け支持部とが一体形成され、吊りボルトに対する野縁受けハンガーの位置変更によって、上下位置が調整されるようにしたものが知られている（特許文献１の図１、図２７、特許文献２の図１１参照）。
【０００４】
しかしながら、これらのものは何れも、天井パネルが水平に施工される場合を前提として形成されたものであり、このものを勾配天井に用いた場合には、野縁受けの下面部が野縁受け支持部の底面部に対して、上り勾配側ほど離間した状態となり、両者が面接された好適な密着状態で支持することができないばかりか、特許文献１の図２７に開示されたように、締結ボルトにより締め付け固定すれば、作業性も良く位置ズレ防止ができるものの、地震等の揺れを受けると、天井全体の振動負荷が下り勾配側へ加わり揺れが激しく、ガタツキや位置ズレと共に天井の落下を招来してしまう危惧があり、耐震性が要求される天井下地への採用は実質的に困難なものであった。
【０００５】
そこで、野縁受けハンガーを、吊りボルト固定部と野縁受け支持部の２部材に分割して、両者をボルト止めすることにより、ボルト止め部を中心に角度調整できるようにすることも提案されるが、この場合、野縁受け支持部側が回動可能な自由端となって、野縁受けの下面部を野縁受け支持部の底面部に対して、面接された密着状態で支持することができるものの、勾配天井はその構造上、野縁受けと天井パネルとによる天井全体の荷重が下り勾配側（野縁受け支持部が垂直になろうとする側）に加わるため、その回動を規制するために、例えば、野縁を取付けする前工程においては、吊りボルトと野縁受けとを補強ブレースを用いて傾斜状に架設する必要があり、野縁取付け後の工程においては、吊りボルト固定部と野縁とを連結固定する別途ステー部材などを設ける必要がある。
【０００６】
また、この様な回動を規制するための補強ブレースや別途ステー部材を設けるなどした場合には、部品点数の増加に伴うコスト高を招来することは勿論、作業工数も増加し施工作業が繁雑となるなどの問題点を誘発するだけでなく、水平天井や勾配天井が混在した天井構造である場合に、水平天井部には、別途ステー部材を必要としない従来の野縁受けハンガーを用いることが強いられるなど、更なる部品点数の増加となって、施工現場における取付け作業に混乱を来す要因となる。そのため、勾配天井においても、従来の一体に折曲成形されたものと同様の施工性をもって取り扱うことのできる野縁受けハンガーの出現が望まれていた。
【先行技術文献】
【特許文献】
【０００７】
【特許文献１】特開平０８−０１３６８２号公報
【特許文献２】特開２００７−１００３５８号公報
【発明の開示】
【発明が解決しようとする課題】
【０００８】
本発明は、上記の如き問題点を一掃すべく創案されたものであって、施工される天井パネルの水平または所定の勾配角度に応じて、吊りボルト固定部と野縁受け支持部とを軸着して角度調整できるようにしたものでありながら、軸着した軸芯廻りとなる連結片同士が対面する外周面域に設定された広幅なビス孔形成領域に対して、野縁受けハンガーを吊りボルトに取り付ける前工程で、単数または複数の個所に重合するビス孔を予め穿設することができ、任意の角度位置で重合するビス孔同士をビス固定することで、吊りボルト固定部と野縁受け支持部とが確りと固着された回転規制された状態で、かつ、野縁受け支持部を勾配天井の傾斜角度に適合した状態で一体化させ、水平や勾配天井といった天井構造に関わりなく、従来の一体に折曲成形されたものと同様に取り扱えるようにし、施工作業の煩雑化や位置ズレを招来することなく、野縁受けを野縁受け支持部に対して、水平または所定の傾斜角度をもって好適な密着状態で支持することのできる野縁受けハンガー提供することを目的とする。
【課題を解決するための手段】
【０００９】
上記課題を解決するために本発明の野縁受けハンガーは、躯体天井部から所定の間隔を存して垂下される複数の吊りボルトと、該吊りボルトの下端部に固定される野縁受けハンガーに支持される野縁受けと、該野縁受けに野縁取付金具を介して取り付けられる野縁と、該野縁にビス固定される天井パネルを含む天井下地において、前記野縁受けハンガーは、吊りボルトの下端部に固定される吊りボルト固定部と、野縁受けを支持するＵ字状部を有する野縁受け支持部とを備え、それぞれに形成された連結片を介して、施工される前記天井パネルの水平または所定の勾配角度に応じて角度調整すべく回転可能に軸着すると共に、該軸芯廻りの前記連結片同士が対面する内外円周上における外周面域を、軸芯から離間した位置に重合するビス孔を穿設するための面域幅を有するビス孔形成領域として設定せしめ、前記それぞれの連結片の軸芯廻りとなる内外円周上面域に複数のビス孔を所定のピッチ角をもって、何れか１のビス孔同士が任意の角度位置で複数個所が位置合わせ重合されるよう穿設し、前記吊りボルト固定部と野縁受け支持部とを、所定角度で選択的に位置合わせ重合される何れか１のビス孔同士をビス固定することにより回転規制せしめて一体化し、、前記吊りボルト固定部を吊りボルトの下端部に固定させた状態で、野縁受けを、設定される水平または所定の傾斜角度に応じて、その下面部を前記Ｕ字状部の底面片に面接支持可能に構成されていることを特徴とするものである。
【発明の効果】
【００１０】
本発明は、上記のように構成したことにより、施工される天井パネルの水平または所定の勾配角度に応じて、吊りボルト固定部と野縁受け支持部とを軸着して角度調整できるようにしたものでありながら、軸着した内外円周上の軸芯廻りとなる連結片同士が対面する外周面域が、広幅なビス孔形成領域として設定されているので、野縁受けハンガーを吊りボルトに取り付ける前工程で、軸芯から離間した部位のビス孔形成領域に、複数の個所に重合するビス孔を予め穿設することができ、任意の角度位置における何れか１の位置決め状態で重合するビス孔同士を複数個所に設定して傾動負荷加重を分担支持してビス固定することが可能となり、吊りボルト固定部と野縁受け支持部とが確りと固着された回転規制状態で、かつ、野縁受け支持部を勾配天井の傾斜角度に適合した状態で強固に一体化することができる。
その結果、連結片同士のビス固定は、野縁受けハンガーを吊りボルトに取り付ける施工現場や工場出荷時に行うことができるようになり、水平や勾配天井といった天井構造に関わりなく、何れの天井構造にも共通に採用することができ、従来の水平天井に用いられる一体に折曲成形されたものと同様に取り扱うことができるだけでなく、野縁受けハンガーを吊りボルトに固定した状態で、下り勾配側への回動が規制された野縁受け支持部に対して、野縁受けを挿入セットするだけで、野縁受けの下面部がＵ字状部の底面片に面接させた状態となり、野縁受けの適正な傾斜角が自ずと定められて支持することができ、吊りボルト固定部を再度上下調整すれば、勾配角度やレベル出し、位置決めなどの組み付け調整によるセット作業を、別途部品点数の増加や施工作業の煩雑化を伴うことなく容易かつ短時間で行なうことができ、しかも、地震等の揺れを受けた際に、野縁受けが下り勾配側への滑りや離間、ガタツキ、位置ズレなどの発生を防止することができ、脱落の心配もなく、野縁受けを野縁受け支持部に対して、水平または所定の傾斜角度をもって好適な密着状態を長期に亘って維持し支持することができる。
【図面の簡単な説明】
【００１１】
【図１】本発明の実施形態に係る勾配天井の天井下地を示す側面図である。
【図２】本発明の実施形態に係る野縁受けハンガーであって、（Ａ）は正面図、（Ｂ）は側面図、（Ｃ）は背面図、（Ｄ）は平面図である。
【図３】本発明の実施形態に係る野縁受けハンガーであって、（Ａ）は縦断面図、（Ｂ）はビス孔形成領域を示す正面図、（Ｃ）は角度調整用ビス孔の穿設状態図である。
【図４】吊りボルト固定部と野縁受け支持部との５度毎に割り振りされた角度位置におけるビス孔の重合状態を示す説明図である。
【図５】野縁受けハンガーを勾配天井に取付けした状態を示し、（Ａ）は正面図、（Ｂ）は側面図である。
【発明を実施するための最良の形態】
【００１２】
以下、本発明の実施の形態を好適な実施の形態として例示する野縁受けハンガーを図面に基づいて詳細に説明する。図１は、本発明の実施形態に係る勾配天井の天井下地を示す側面図である。この図に示す天井下地には、躯体天井部１から所定の間隔を存して垂下される複数の吊りボルト２と、吊りボルト２の下端部に固定される野縁受けハンガー３に傾斜状に支持される野縁受け４と、野縁受け４に野縁取付金具５１を介して取り付けられる野縁５と、野縁５にビス固定される勾配天井パネル６と、躯体天井部１と野縁受け４との間で吊りボルト２に振れ止め固定金具７１を介して水平状に架設される振れ止め７（天井下地材）が含まれている。
【００１３】
野縁受け４は、側方が開口する断面コ字状のチャンネル材からなり、天井部に所定の間隔を存して並列状に割り付けされ、野縁受けハンガー３によって支持されると共に、施工される天井パネル６の水平または所定の勾配角度に応じて吊りボルト２の先端部に取付けされる野縁受けハンガー３の位置変更によって、上下位置が調整される。このとき、野縁受け４は、図示しない躯体壁部に当接しない短めの長さに予め加工され、その両端部が野縁受け固定金具を介して躯体壁部に固定される。
野縁５は、上方に拡開した上部両側内方に折曲片を折曲形成させた逆Ｕ字状溝を有するチャンネルからなり、野縁受け４と直交するように、天井部に所定の間隔を存して並列状に割り付けされる。野縁５としては、幅寸法が異なるダブル野縁やシングル野縁があり、それぞれ野縁５の野縁取付金具５１を介して野縁受け４で支持される。そして、天井部に割り付けられた野縁５間に天井パネル６を渡し、これをビス止めすることにより、既設の天井部が完成する。
【００１４】
野縁取付金具５１は、一方の側に、野縁５の逆Ｕ字状溝内に挿入して野縁５を支持受けすよう形成された野縁支持受け部と、他方の側に、野縁５の開口側から被嵌係合して固定されるよう形成された野縁被嵌部とを、野縁受け４の上面側で折曲可能に一体化されて構成される。この野縁取付金具５１は、本願出願人が開示した特登５４８９１０９号公報に掲載されたものの例示であり、詳細説明を省略する。
振れ止め固定金具７１は、中央の吊りボルト２への吊りボルト固定部と、その両側に振れ止め７への被嵌固定部を有して側面視略コ字状に形成されている。
振れ止め７は、側方が開口する断面コ字状のチャンネル材からなり、吊りボルト２の間隔を維持するために複数の吊りボルト２間に水平状に架設される梁タイプとなっている。そして、振れ止め固定金具７１を、吊りボルト２と振れ止め７とを同時に被嵌することで両者が組付け固定される。
【００１５】
図２は、本発明の実施形態に係る野縁受けハンガーを示し、（Ａ）は正面図、（Ｂ）は側面図、（Ｃ）は背面図、（Ｄ）は平面図であり、図３の（Ａ）は断面図、（Ｂ）はビス孔形成領域を示す正面図、（Ｃ）は角度調整用ビス孔の穿設状態図である。これらの図に示すように、野縁受けハンガー３は、板厚が３．２ｍｍの厚板材を用い、全体が側面視略し字状に形成され、吊りボルト２の下端部にナット止め調整により上下位置調整可能に連結される側面視逆Ｌ字状の吊りボルト固定部３１と、野縁受けを支持するＵ字状の野縁受け支持部３２とを備え、吊りボルト固定部３１と野縁受け支持部３２とは、それぞれに設けた連結片３１２と３２２同士をリベット３ａにて回転可能に軸着されて構成される。
【００１６】
吊りボルト固定部３１は、吊りボルト２の下端部にナット止めされる上面固定片３１１と、上面固定片３１１から垂下折曲される連結片３１２とを有してプレス成型により一体成形され、上面固定片３１１に吊りボルト２の下端部を挿通する吊りボルト挿通孔３１ａが穿設されている。
野縁受け支持部３２は、上方に開口するようコ字状に折曲形成されたＵ字状部３２１と、Ｕ字状部３２１から上方に延出されて連結片３１２に重合面接する連結片３２２とを有してプレス成型により一体成形される。Ｕ字状部３２１には、野縁受け４を開口側からＵ字状部３２１内に挿入セットした状態で、野縁受け４の上面部側を開口端部側となる前面片と後面片間で、締結ボルト３３の締め付け操作により挟み込み挟持するためのボルト挿通孔３２ａと、ナット孔３２ｂが設けられており、野縁受け４の側面部と下面部のそれぞれにドリルビス３４、３４にてビス固定するためのビス孔３２ｃ、３２ｃと３２ｄが穿設されている。
【００１７】
図３（Ｂ）に示すＴは、施工される天井パネルの水平または所定の勾配角度に応じて傾斜角を調整するためのビス孔Ｓ１、Ｓ２を予め形成しておくためのビス孔形成領域であって、該ビス孔形成領域Ｔは、リベット３ａの軸芯廻りとなる連結片３１２と連結片３２２とが対面する外周面域を広幅な面域幅をもって形成し、リベット（軸芯）３ａから離間した位置となる面域で、ビス孔Ｓ１とビス孔Ｓ２とを、予め所定の配置設定により穿設させ、任意の角度位置で位置合わせ重合させ、ビス孔Ｓ１、Ｓ２同士をドリルビス３４にてビス固定することで吊りボルト固定部３１と野縁受け支持部３２を回転規制するための領域として機能する。
つまり、連結片３１２と連結片３２２にビス孔形成領域Ｔを形成するために、吊りボルト固定部３１と野縁受け支持部３２は、従来の一体形成された水平天井に用いられるものに比し、その面域幅が約２倍程度の広幅面域をもって形成されると共に、吊りボルト固定部３１は野縁受け支持部３２よりも広幅に形成されており、図３（Ｃ）に示すように、連結片３１２のビス孔形成領域Ｔには、都合１５個のビス孔Ｓ１ａ〜Ｓ１ｏが割り振り穿設され、連結片３２２のビス孔形成領域Ｔには、都合８個のビス孔Ｓ２ａ〜Ｓ２ｈが割り振り穿設されている。この様に、吊りボルト固定部３１と野縁受け支持部３２を広幅面域をもって形成すると、野縁受けハンガー３自体の強度、特に、天井部の荷重を主体となって支える吊りボルト固定部３１の逆Ｌ字状のコーナー部の強度が向上され、拡開変形を防止することができる。
【００１８】
リベット３ａを中心とした内外円周上において、ビス孔Ｓ１ａ〜Ｓ１ｏのうち、連結片３１２の外周側面域に９個のビス孔Ｓ１ａ〜Ｓ１ｉが割り振り配設され、その内周側面域に６個のビス孔Ｓ１ｊ〜Ｓ１ｏが割り振り配設されている。また、ビス孔Ｓ２ａ〜Ｓ２ｈのうち、連結片３２２の外周側面域に４個のビス孔Ｓ２ａ〜Ｓ２ｄが割り振り配設され、その内周側面域に４個のビス孔Ｓ２ｅ〜Ｓ２ｈが割り振り配設されている。そして、これらビス孔Ｓ１ａ〜Ｓ１ｏとビス孔Ｓ２ａ〜Ｓ２ｈとは、４５度の角度範囲内において、５度毎のピッチ角をもって、何れか１のビス孔Ｓ１、Ｓ２同士を任意の角度位置で選択的に位置合わせさせて重合するように配置設定され、謂わば多段階的な角度位置調整ができるようになっている。なお、ビス孔Ｓ１、Ｓ２の穿設位置や角度設定、配設個数やその比率は任意であり、ビス孔Ｓ１、Ｓ２に換えて連結片３１２、３２２の外周端縁にビス溝を形成するようにしても良い。
【００１９】
次に、５度毎に割り振りされた何れか１のビス孔Ｓ１、Ｓ２同士を任意の角度位置で選択的に位置合わせすることで、吊りボルト固定部３１と野縁受け支持部３２との傾斜角度を位置決め調整するビス孔Ｓ１、Ｓ２の重合状態を図４に示す説明図に基づいて詳述する。すなわち、ビス孔形成領域Ｔに重合するビス孔Ｓ１、Ｓ２を穿設するにあたり、先ず、吊りボルト固定部３１と野縁受け支持部３２とが垂直状態となる位置に重合する基点（０度）となるビス孔Ｓ１ａ、Ｓ２ａを穿設する。この基点となるビス孔Ｓ１ａ、Ｓ２ａから５度毎に割り振りすることにより、ビス孔Ｓ１、Ｓ２同士が重合されるようそれぞれ穿設される。所定角度位置でビス孔Ｓ１、Ｓ２同士を重合させるパターンは、中心が一致する完全重合パターンと中心が位置ズレする部分重合パターンとが形成される。完全重合するビス孔Ｓ１とＳ２同士は、ビス止めによる角度決めと回転規制状態とすることを前提とし、部分重合するビス孔Ｓ１とＳ２同士は、孔開け作業を要することなくドリルビス３４やタッピングビスによりビス止めすることが可能な楕円状の重合径を有するものであり、必要においてビス止めすることで、完全重合位置における回転規制状態を更に強固にする補助的なものとして機能させることができる。なお、部分重合位置では、板厚が３．２ｍｍの厚板材であっても孔開け作業を要することなく、細径のドリルビス３４を用いて位置ズレすることなくビス固定することができ、孔開け可能な太径のドリルビス３４を用いる場合は、部分重合しない位置を含め所望のビス孔Ｓ２の何れかを選択すればよい。
【００２０】
その完全重合と主に利用可能な部分重合するパターンは、傾斜角０度ではビス孔Ｓ１ａとＳ２ａが完全重合し、ビス孔Ｓ１ｂとＳ２ｂ、Ｓ１ｋとＳ２ｆ、Ｓ１ｎとＳ２ｈ、Ｓ１ｉとＳ２ｄの複数個所が部分重合する。傾斜角５度ではビス孔Ｓ１ｂとＳ２ｂが完全重合し、ビス孔Ｓ１ｎとＳ２ｈ、Ｓ１ａとＳ２ａで部分重合する。以下同様に、傾斜角１０度では（完全重合：Ｓ１ｎとＳ２ｈ、部分重合：Ｓ１ｂとＳ２ｂ、Ｓ１ｅとＳ２ｃ）、傾斜角１５度では（完全重合：Ｓ１ｅとＳ２ｃ、部分重合：Ｓ１ｎとＳ２ｈ、Ｓ１ｈとＳ２ｄ）、傾斜角２０度では（完全重合：Ｓ１ｈとＳ２ｄ、部分重合：Ｓ１ｉとＳ２ａ、Ｓ１ｅとＳ２ｃ、Ｓ１ｎとＳ２ｈ）、傾斜角２５度では（完全重合：Ｓ１ｉとＳ２ａ、部分重合：Ｓ１ａとＳ２ｂ、Ｓ１ｈとＳ２ｄ、Ｓ１ｏとＳ２ｅ、Ｓ１ｌとＳ２ｇ、Ｓ１ｎとＳ２ｈ）、傾斜角３０度では（完全重合：Ｓ１ａとＳ２ｂ、部分重合：Ｓ１ｌとＳ２ｇ、Ｓ１ｉとＳ２ａ、Ｓ１ｏとＳ２ｅ）、傾斜角３５度では（完全重合：Ｓ１ｏとＳ２ｅ、部分重合：Ｓ１ａとＳ２ｂ、Ｓ１ｆとＳ２ｊ、Ｓ１ｌとＳ２ｇ）、傾斜角４０度では（完全重合：Ｓ１ｌとＳ２ｇ、部分重合：Ｓ１ｄとＳ２ｃ、Ｓ１ｊとＳ２ｆ、Ｓ１ｏとＳ２ｅ）、傾斜角４５度では（完全重合：Ｓ１ｊとＳ２ｆ、Ｓ１ｄとＳ２ｃ、部分重合：Ｓ１ｈとＳ２ａ、Ｓ１ｌとＳ２ｇ、Ｓ１ｏとＳ２ｅ）で位置合わせされる。なお、部分重合位置は複数形成されるが、ビス固定は、勾配角度や天井構造応じて、回り止め強度上、リベット（軸芯）３ａや完全重合位置から離間した位置を１または複数選択し、ドリルビス３４…による傾動負荷加重を分担支持して行うことが好ましい。
【００２１】
次に、本発明の実施態様に係る野縁受けハンガー３を、勾配天井における吊りボルト２に固定し、野縁受け４を野縁受けハンガー３によって支持させる取付手順について、図１および図５（Ａ）、（Ｂ）に基づいて説明する。なお、この図の勾配天井は１０度の傾斜角をもって施工された状態を例示したものであって、これら図に示すように、先ず、施工される天井パネル６の水平または所定の勾配角度の天井仕様に応じて、任意の角度位置予め穿設された完全重合するビス孔Ｓ１とＳ２を選択して位置合わせ調整する。この実施態様では、１０度の傾斜角で完全重合するビス孔Ｓ１ｃとＳ２ｈとを選択して連結片３１２、３２２同士をビス固定し、吊りボルト固定部３１と野縁受け支持部３２とを１０度の傾斜角度で回転規制した状態とする。次いで、必要有る場合に、部分重合するビス孔Ｓ１ｅとＳ２ｃおよびビス孔Ｓ１ｂとＳ２ｂのうち、ビス孔Ｓ１ｅとＳ２ｃを選択（両方選択しても良い）してドリルビス３４によりビス固定する。このビス固定作業時に吊りボルト固定部３１と野縁受け支持部３２は、既に回転規制された固定状態となっているため、設定した角度位置がずれてしまうこともない。
【００２２】
同様に勾配天井仕様に応じて、必要個数分を用意する。この様に、ビス孔形成領域Ｔに対して、予め傾斜角度を位置決め調整できるビス孔Ｓ１とＳ２を穿設しておけば、吊りボルト固定部３１と野縁受け支持部３２とを所定の角度に回転規制するビス止め作業を、工場出荷時に行えることは勿論、施工現場においても行うことができる。また、工場出荷する場合には、ビス孔形成領域Ｔに予めビス孔Ｓ１とＳ２を穿設していなくとも、搬入先の勾配天井仕様に応じて、角度決め治具などを用いることで、ビス孔形成領域Ｔの所望の位置に予めビス固定したものを用意しておくこともできる。
この吊りボルト固定部３１と野縁受け支持部３２が所定の角度に回転規制された状態の野縁受けハンガー３を、順次吊りボルト２の先端部に予めナットを螺入しておき、この先端部を吊りボルト挿通孔３１ａに挿入させて上面固定片３１１をナット止めして、両ナット間に挟み込んで取付け固定する。
【００２３】
野縁受けハンガー３の吊りボルト２への固定作業にあたっては、任意の２点間の吊りボルト２を選択し、吊りボルト固定部３１を上下調整してある程度の勾配角度出しを行った仮固定状態で、野縁受け４を野縁受け支持部３２のＵ字状部３２１に挿入セットする。その際、野縁受け４が滑り落ちないよう、締結ボルト３３を、ボルト挿通孔３２ａから挿入してナット孔３２ｂに螺入し、野縁受け４の下面部をＵ字状部３２１の底面片に面接させた状態で、締結ボルト３３を仮締め付け操作し、野縁受け４をＵ字状部３２１の開口端部側となる前面片と後面片間で挟み込んで仮固定する。この面接状態とすることで、野縁受け４の適正な傾斜角（勾配角度）が自ずと定められ、この面接状態を維持しながら吊りボルト２に対して吊りボルト固定部３１を再度上下調整すれば、勾配角度やレベル出し、位置決めなどの組み付け調整によるセット作業を容易に行なうことができ、締結ボルト３３を締め付け操作して本固定する。
【００２４】
野縁受け４の傾斜角が適正にセットされた状態で、他の吊りボルト２の先端部への吊りボルト挿通孔３１ａの挿入と、野縁受け４へのＵ字状部３２１の挿入を行って、野縁受けハンガー３を適正位置に上下調整して締結ボルト３３を締め付け操作して本固定する。その後、ビス孔３２ｃと３２ｄを介して、野縁受け４の側面部と下面部をドリルビス３４、３４にてＵ字状部３２１にビス固定する。野縁受け４を野縁受けハンガー３に適正に支持させる取付作業が完了した後、野縁５を、野縁受け４の下面部にその開口側を面接させて直交するように取付けし、順次所定の間隔を存して並列状に配設する。最後に、野縁５間に天井パネル６を渡し、これをビス止めすることにより、勾配天井部が完成する。
【００２５】
叙述の如く構成された本発明の実施の形態において、いま、天井部の下地施工において、施工される天井パネル６の水平または所定の勾配角度に応じて配設される吊りボルト２の下端部に野縁受けハンガー３を固定させ、この野縁受けハンガー３に野縁受け４を取り付けて水平または傾斜状に支持するのであるが、本発明にかかる野縁受けハンガー３は、吊りボルト２の下端部に固定される吊りボルト固定部３１と、野縁受け４を支持するＵ字状部３２１を有する野縁受け支持部３２とを別部材として形成し、それぞれに形成された連結片３１２、３２２を介して、施工される天井パネル６の水平または所定の勾配角度に応じて角度調整すべく回転可能にリベット３ａで軸着すると共に、該軸芯廻りの連結片３１２と３２２同士が対面する内外円周上における外周面域を、軸芯から離間した位置に重合するビス孔Ｓ１とＳ２を穿設するための面域幅を有するビス孔形成領域Ｔとして設定せしめ、それぞれの連結片３１２と３２２の軸芯廻りとなる内外円周面域に複数のビス孔Ｓ１ａ〜Ｓ１ｏやＳ２ａ〜Ｓ２ｈを所定のピッチ角をもって、何れか１のビス孔同士が任意の角度位置で複数個所が位置合わせ重合されるよう穿設し、吊りボルト固定部３１と野縁受け支持部３２とを、所定角度で選択的に位置合わせ重合される何れか１のビス孔Ｓ１とＳ２同士をビス固定することにより回転規制せしめて一体化し、吊りボルト固定部３１を吊りボルト２の下端部に固定させた状態で、野縁受け４を、設定される水平または所定の傾斜角度に応じて、その下面部をＵ字状部３２１の底面片に面接させた状態で支持可能に構成されている。
【００２６】
この様に構成すると、施工される天井パネル６の水平または所定の勾配角度に応じて、吊りボルト固定部３１と野縁受け支持部３２とを軸着して角度調整できるようにしたものでありながら、軸着したリベット３ａの内外円周上の軸芯廻りとなる連結片３１２、３２２同士が対面する外周面域が、広幅なビス孔形成領域Ｔとして設定されているので、特に吊りボルト固定部３１自体の強度が向上されると共に、野縁受けハンガー３を吊りボルト２に取り付ける前工程で、軸芯から離間した部位のビス孔形成領域Ｔに、複数の個所に重合するビス孔Ｓ１、Ｓ２を予め穿設することができ、任意の角度位置における何れか１の位置決め状態で重合するビス孔Ｓ１とＳ２同士を複数個所に設定して傾動負荷加重を分担支持してビス固定することが可能となり、吊りボルト固定部３１と野縁受け支持部３２とが確りと固着された回転規制状態で、かつ、野縁受け支持部３２を勾配天井の傾斜角度に適合した状態で強固に一体化することができる。
【００２７】
その結果、連結片３１２、３２２同士のビス固定は、野縁受けハンガー３を吊りボルト２に取り付ける施工現場や工場出荷時に行うことができるようになり、水平や勾配天井といった天井構造に関わりなく、何れの天井構造にも共通に採用することができ、従来の水平天井に用いられる一体に折曲成形されたものと同様に取り扱うことができるだけでなく、野縁受けハンガー３を吊りボルト２に固定した状態で、下り勾配側への回動（傾動）が規制された野縁受け支持部３２に対して、野縁受け４を挿入セットするだけで、野縁受け４の下面部がＵ字状部３２１の底面片に面接させた状態とすることができ、この面接状態をビス固定などにより維持することで、野縁受け４の適正な傾斜角が自ずと定められて支持することができ、吊りボルト固定部３１を再度上下調整すれば、勾配角度やレベル出し、位置決めなどの組み付け調整によるセット作業を容易かつ短時間で行なうことができる。しかも、野縁５を取付けする前工程において補強ブレースを傾斜状に架設するなどして回動規制したり、野縁受け４の位置ズレを防止したりする作業工程や、吊りボルト固定部３１と野縁５とを連結固定して回動規制する別途ステー部材などを設ける作業工程を一切必要とすることがなく、部品点数の増加や施工作業の煩雑化を招来することが回避され、更には、地震等の揺れを受けた際に、野縁受け４が下り勾配側への滑りや離間、ガタツキ、位置ズレなどの発生を防止することができ、脱落の心配もなく、野縁受け４を野縁受け支持部３２に対して、水平または所定の傾斜角度をもって好適な密着状態を長期に亘って維持し支持することができる。
【００２８】
また、ビス孔形成領域Ｔに重合するビス孔Ｓ１、Ｓ２を穿設するにあたり、吊りボルト固定部３１と野縁受け支持部３２とが垂直状態となる位置に完全重合する基点（０度）となるビス孔Ｓ１ａ、Ｓ２ａを予め穿設すると共に、連結片３１２、３２２の双方それぞれに、当該基点となるビス孔Ｓ１ａ、Ｓ２ａから任意角度をもって割り振りした複数のビス孔Ｓ１ｂ〜Ｓ１ｏやＳ２ｂ〜Ｓ２ｈ同士を、任意の角度位置でその中心が完全に一致した重合状態で選択的に位置合わせされる完全重合パターンと共に、その中心が位置ズレ重合した状態で位置合わせされる部分重合パターンが設定されるよう形成せしめ、当該完全重合位置をビス固定して角度位置決めした状態で、前記部分重合位置をビス固定することにより傾動負荷加重を分担支持すべく構成されている。
この様に構成すると、連結片３１２、３２２の双方に穿設した基点となるビス孔Ｓ１ａとＳ２ａに加え、連結片３１２の基点となるビス孔Ｓ１ａに対し、連結片３２２側の任意角度位置でそれぞれが重合する複数のビス孔２ｂ〜Ｓ２ｈ、即ち、１対複数の関係での穿設形成による完全重合するパターンや、図４に示すように、ビス孔Ｓ１とＳ２同士の中心が一致する完全重合パターンと中心が位置ズレする部分重合パターンとを形成することができるなど、ビス孔形成領域Ｔにおけるビス孔Ｓ１とＳ２同士の重合組合せパターンを、任意の角度範囲内で選択的に位置合わせする割り振り態様をもって、種々の自由な配設組合せによりバリエーション化させて穿設形成することができる。
【００２９】
しかも、完全重合するパターン位置におけるビス孔Ｓ１とＳ２同士のビス固定は、傾斜角度が位置決めがなされた回転規制状態とすることができ、部分重合するビス孔Ｓ１とＳ２同士は、この回転規制された固定状態とした後にビス固定すれば良く、板厚が３．２ｍｍの厚板材でおっても孔開け作業を要することなく、細径のドリルビス３４を用いても位置ズレせずにビス固定することができると共に、勾配角度などの天井構造に応じて、１または複数の必要個所にビス固定することができ、完全重合位置における傾動負荷加重を分担支持する回転規制状態および連結強度を更に強固にすることができ、耐震補強性能を向上することができる。さらに、水平天井や勾配天井が混在したり、勾配天井の傾斜角が異なる天井構造であっても、施工現場での異なる角度決めビス固定作業を、一種類の野縁受けハンガー３を用いて任意の角度位置で選択的に位置合わせして行うことができる。
【００３０】
また、連結片３１２、３２２の双方に穿設せしめた複数のビス孔Ｓ１ａ〜Ｓ１ｏやＳ２ａ〜Ｓ２ｈは、基点となるビス孔Ｓ１ａとＳ２ａから４５度の角度範囲内において、軸芯廻りとなる円周上に５度ピッチ毎に何れか１のビス孔が位置合わせされるよう割り振り配設されてされているので、吊りボルト固定部３１と野縁受け支持部３２とが垂直状態となる位置に重合する基点（０度）となるビス孔Ｓ１ａ、Ｓ２ａからＳ１ｏ、Ｓ２ｈまでの４５度の範囲内において、１０パターンの角度位置における位置合わせにより選択的な角度調整が行え、一種類の野縁受けハンガー３を用いて略全ての勾配天井の傾斜角に対応することができるだけでなく、複数個所でビス固定されたドリルビス３４…により傾動負荷加重を分担支持して強固に回転規制することができ、振動負荷を分散することでしっかりと受け止めて、吊りボルト固定部３１に対する野縁受け支持部３２や野縁受け４などの下り勾配側への滑りや離間、ガタツキ、位置ズレなどの発生を防止することができる。
【００３１】
また、野縁受け支持部３２は、そのＵ字状部３２１の開口側に挿通されて、セットされた野縁受け４を締め付け挟持し、かつ、拡開を規制する締結ボルト３３が設けられているので、吊りボルト２へ固定された野縁受けハンガー３の野縁受け支持部３２が、所定の傾斜角度に角度固定されている状態で野縁受け４をＵ字状部３２１に挿入セットした際に、野縁受け４が下り勾配側に滑り落ちないように、野縁受け４の下面部をＵ字状部３２１の底面片に面接させた状態を維持しつつ、野縁受け４の上面部側をＵ字状部３２１の開口端部側となる前面片と後面片間で、締結ボルト３３を締め付け操作することで仮固定状態とし、吊りボルト２に対して吊りボルト固定部３１を上下調整した後に、しっかりと挟み込み挟持して本固定することができ、勾配角度やレベル出し、位置決めなどの組み付け調整によるセット作業を容易に行なうことができる。
【００３２】
また、野縁受け支持部３２は、そのＵ字状部３２１の略中央と底面片に穿設されたビス孔３２ｃと３２ｄを介して、セットされた野縁受け４の側面部と下面部をビス固定するので、締結ボルト３３により適正に挟持された野縁受け４をＵ字状部３２１に強固に一体化取着することができ、地震等の揺れを受けた際に、野縁受け４が下り勾配側への滑りや離間、ガタツキ、位置ズレなどの発生を防止することができ、脱落の心配もなく、野縁受け４を野縁受け支持部３２に対して、水平または所定の傾斜角度をもって好適な密着状態を長期に亘って維持し支持することができる。
【符号の説明】
【００３３】
１      躯体天井部
２      吊りボルト
３      野縁受けハンガー
３１    吊りボルト固定部
３１１  上面固定片
３１ａ  吊りボルト挿通孔
３１２  連結片
３２    野縁受け支持部
３２１  Ｕ字状部
３２ａ  ボルト挿通孔
３２ｂ  ナット孔
３２ｃ  ビス孔
３２２  連結片
３ａ    リベット
３３    締結ボルト
３４    ドリルビス
４      野縁受け
５      野縁
５１    野縁取付金具
６      天井パネル
７      振れ止め
７１    振れ止め固定金具
Ｔ      ビス孔形成領域
Ｓ１（Ｓ１ａ〜Ｓ１ｏ）  ビス孔
Ｓ２（Ｓ２ａ〜Ｓ２ｈ）  ビス孔
【図１】
0006541064.tif 000002
【図２】
0006541064.tif 000003
【図３】
0006541064.tif 000004
【図４】
0006541064.tif 000005
【図５】
0006541064.tif 000006